(57)【要約】【課題】  使用者がルート候補からルートを選択して切符を購入できる券売機を提供する。【解決手段】  制御部と、操作者が目的地を指定するための操作部と、目的地別に管理された降車駅、乗車駅から目的地までの所要時間、及び乗車駅から目的地までの所定情報を備えたデータベースと、前記操作部より目的地を指定することにより、前記制御部が前記データベースに登録された降車駅、乗車駅から降車駅までの所要時間、及び乗車駅から目的地までの所定情報を検索し、かつ検索結果に基づいて前記操作者が券の購入が可能であることを特徴とする。【選択図】  図１４
2010086346.tif 000002
【特許請求の範囲】
【請求項１】
目的地を指定される操作部と、
目的地別に管理された降車駅、乗車駅から目的地までの所要時間、及び乗車駅から目的
地までの目的地別情報を予め記憶するデータベースと、
前記操作部から目的地を指定することにより、前記データベースに記憶されている前記
目的地別情報に基づいて、降車駅、乗車駅から降車駅までの所要時間、及び乗車駅から目
的地までの所定情報を検索する制御部とを有することを特徴とする券売機。
【請求項２】
イベントを指定される操作部と、
イベント別に管理された降車駅、乗車駅から目的地までの所要時間、及び降車駅から目
的地までのイベント別情報を予め記憶するデータベースと、
前記操作部よりイベントを指定することにより、前記データベースに記憶されている前
記前記イベント別情報に基づいて、降車駅、乗車駅から降車駅までの所要時間、及び降車
駅からイベント開催地までの所定情報を検索する制御部とを有することを特徴とする券売
機。
【請求項３】
前記所定情報は、目的地までに要する合計金額、乗換駅、降車駅から目的地若しくはイ
ベント開催地までの地図、降車駅から若しくはイベント開催地までの徒歩に要する時間の
少なくとも一つであることを特徴とする請求項１または請求項２に記載の券売機。
【請求項４】
前記券には、降車駅から目的地若しくはイベント開催地までの地図が印刷されているこ
とを特徴とする請求項１または請求項２に記載の券売機。
【発明の詳細な説明】
【技術分野】
【０００１】
本発明は、使用者が目的地まで到達するための便を良いものとする券売機に関する。
【背景技術】
【０００２】
現在、駅では様々な券売機が使用されており、また開発されてきた。開発された券売機
の一つとしては、表示部の目的地検索ボタンを押すことにより、その沿線の目的地が表示
され、その目的地を選択することにより自動的に最寄駅が選択される券売機も発明された
（例えば、特許文献１参照）。
【特許文献１】特開平６−４７２７号公報  (第３貢、図６)
【発明の開示】
【発明が解決しようとする課題】
【０００３】
しかし、券売機では、目的地に一番近い駅の券が発売される為、電車の所要時間等は考
えられていなかった。券売機の設置された駅と目的地の関係によっては目的地に一番近い
駅よりも目的地から少し遠い駅であったとしても、券売機の設置された駅から目的地から
少し遠い駅の方が、目的地に一番近い駅より短い所要時間又は乗り継ぎ無しで行ける場合
もあるが、それを選択できないという課題があった。
【０００４】
本発明は、課題を解決するためになされたもので、使用者が複数のルート候補からルー
トを選択して切符を購入できる券売機を提供することを目的とする。
【課題を解決するための手段】
【０００５】
目的を達成するために、本発明による券売機は、制御部と、操作者が目的地を指定する
ための操作部と、目的地別に管理された降車駅、乗車駅から目的地までの所要時間、及び
乗車駅から目的地までの所定情報を備えたデータベースと、前記操作部より目的地を指定
することにより、前記制御部が前記データベースに登録された降車駅、乗車駅から降車駅
までの所要時間、及び乗車駅から目的地までの所定情報を検索し、かつ検索結果に基づい
て前記操作者が券の購入が可能であることを特徴とする券売機。
【発明の効果】
【０００６】
本発明によれば、使用者が複数のルート候補からルートを選択して切符を購入できる券
売機を提供する。
【発明を実施するための最良の形態】
【０００７】
以下、本発明の実施例について図面を参照しながら説明する。
【実施例１】
【０００８】
図１は、この発明の発券処理部の実施の形態にかかわる券売機１の全体構成を示す斜視
図である。
【０００９】
券売機１は、例えば、鉄道の駅に設置され、普通乗車券（エドモンソン券）を発券する
ものである。
【００１０】
券売機１には接客面にタッチパネル２が設けられている。タッチパネル２は後述するタ
ッチパネル制御部１２に接続されており、発券する券の種類や枚数などの発行案内を表示
及び選択ができ、また発券する券の合計金額や利用者が投入した金額などの案内を表示す
る。
【００１１】
また、タッチパネル２近傍には紙幣投入／排出口３、硬貨投入口４、硬貨排出口５、券
投入／排出口６、及び地図付購入券排出口７が設けられている。紙幣投入／排出口３では
、利用者により紙幣が投入されるとともに、つり銭等としての紙幣を排出する。硬貨投入
口４では、利用者が券類を購入するために代金を投入する。硬貨排出口５は、つり銭等と
しての硬貨が排出される。券投入／排出口６には、発券処理された乗車券が排出される。
また地図付購入券排出口７からは後述する地図付購入券５９０又は地図付購入券６９０が
プリントされる。
【００１２】
図２は、この発明の実施の形態にかかわる券売機１の内部構成を示すブロック図である
。券売機１には制御部８が設けられており、この制御部８は券売機１の全体の制御を司る
もので、たとえば、マイクロコンピュータとその周辺回路などを主体に構成されている。
【００１３】
また制御部８には、料金処理部９が接続されており、この料金処理部９には、紙幣投入
／排出口３、硬貨投入口４及び硬貨排出口５が接続されている。料金処理部９では、紙幣
投入／排出口３に投入された紙幣の処理、紙幣投入／排出口３から放出する紙幣の処理、
及び硬貨排出口５から放出する硬貨の処理を行う。たとえば、料金処理部９では、紙幣投
入／排出口３に投入された紙幣及び硬貨を鑑別し、券種及び硬貨ごとに貯留し、制御部８
からの指示に応じて貯留している紙幣及び硬貨をつり銭として紙幣投入／排出口３又は硬
貨排出口５から放出する。
【００１４】
そして、制御部８には発券処理部１０が接続されており、発券処理部１０には、券投入
／排出口６が接続されている。発券処理部１０では、制御部８からの指示に応じて乗車券
の発券処理を行い、発券処理された乗車券を券投入／排出口６から排出する、若しくは旧
券を投入するようになっている。
【００１５】
また、発見処理部１０にはプリンタ１１が接続されている。プリンタ１１は地図付購入
券排出口７が接続されている。プリンタ１１では、制御部８からの指示に応じて地図付購
入券５９０又は地図付購入券６９０のプリント処理を行い、プリントされた地図付購入券
５９０又は地図付購入券６９０を地図付購入券排出口７から排出する。
【００１６】
また制御部８にはタッチパネル制御部１２が接続されている。タッチパネル制御部１２
はタッチパネル２の制御を行う。
【００１７】
また制御部８にはデータベース検索部１３が接続されている。データベース検索部１３
はメモリ１４と接続されている。またデータベース検索部１３はハードディスク接続部１
５を介して外部メモリ１６と接続されている。データベース検索部１３はメモリ１４に保
存されている後述する目的地別データベース１００内の目的地及びハードディスク接続部
１５より接続された外部メモリ１５内に保存されているイベント別データベース２００内
のイベント名をタッチパネル２で入力された文字に基づいて検索する。
【００１８】
図３は目的地別データベース１００を示した図である。
【００１９】
目的地別データベース１００は、目的地１０１により分類されている。目的地１０１は
場所の正式な名称であり例えば「東京○○ー」、「東京○ー○」等のように登録される。
【００２０】
また目的地１０１に対しては複数の検索用ワード１０２が登録されている。この検索用
ワード１０２は、目的地１０１の正式な名称を思い出さない場合や記憶が曖昧な使用者に
対応して、目的地１０１の通称や一部で目的地１０１を検索できるように登録されている
。例えば目的地１０１が「東京○○ー」（図２中１行目）である場合には検索用ワード１
０２には「トウキョウ」、「○○ー」、「ＴＯＫＹＯ」等が登録される。
【００２１】
目的地１０１に対し１乃至数駅までの該当駅１０３が登録されている。この該当駅にあ
たるのはその目的地１０１から最寄りの駅の他、使用者がいる駅から乗り換え不要又は乗
り換えが少なくて行くことが可能である駅、電車から目的地まで行くバスへの乗り継ぎが
良く利便性のある駅、乗車所要時間と徒歩の時間合計して一番近い駅、目的地まで段差等
少ない経路で向かう事ができる駅、人の利用が多く明るい道を通って目的地まで向かうこ
とができる駅等が登録されている。
【００２２】
また該当駅１０３に対し、目的地１０１までの徒歩でかかる時間が記載された徒歩時間
１０４が登録されている。この徒歩時間１０４は大人の平均の歩幅歩いた場合の所要時間
が登録されている。また券売機１のある駅（使用者が目的地１０１までの券を実際に買お
うとしている駅）から該当駅１０３までの合計運賃１０５が該当駅に対応して登録されて
いる。
【００２３】
該当駅１０３に向かうまでの自社の路線に乗り換えが必要な場合には自社乗換駅１０６
が登録され、他社の路線に乗り換えが必要な場合には他社乗換駅１０８が登録されている
。
【００２４】
また自社路線を利用して移動した駅までの運賃である自社運賃１０７及び他社路線を利用
する場合にはその他社路線利用区間の他社運賃１０９が登録されている。この自社運賃１
０７と他社運賃１０９の合計が合計運賃１０５となる。
【００２５】
また券売機１のある駅（使用者が目的地１０１までの券を実際に買おうとしている駅）
から目的地１０１までの徒歩時間１０４まで含めた所要時間１１０が登録されている。
【００２６】
該当駅１０３及び乗換がある場合には自社乗換駅１０６、他社乗換駅１０８がバリアフ
リー設備を設けている場合にはバリアフリー１１１の項目に「○」が登録されている。
【００２７】
該当駅１０３に対応して該当駅１０３から目的地１０１までの地図付購入券１１２が登
録されている。なおバリアフリー対応の駅の場合には階段などの段差が少ない経路の地図
付購入券が登録されている。
【００２８】
例えば目的地１０１が「東京○○ー」（図２中１行目）の場合には、該当駅が４つあり
、最安値で「東京○○ー」まで行くことが出来るＡ駅、エレベータ等があり階段の利用が
不要な駅のみを利用して行く事が出来るＢ駅、途中ｃ駅で乗り換えることにより最短時間
で行く事が可能な他社Ｃ駅、他の経路に比べ運賃は高いが徒歩時間が短い時間で目的地に
つくことが可能なＤ駅が登録されている。
【００２９】
図４はハードディスクよりつけることができるイベント別データベースを示した図であ
る。
【００３０】
イベント別データベース２００は、イベント名２０１により分類されている。イベント
名２０１はイベントの正式な名称であり例えば「○×社祭」、「フリーマーケット」…の
ように登録される。
【００３１】
またイベント名２０１に対しては複数の検索用ワード２０１ａが登録されている。この
検索用ワード２０１ａは、イベント名２０１の正式な名称を思い出さない場合や記憶が曖
昧な使用者に対応して、イベント名２０１の通称や一部でイベント名２０１を検索できる
ように登録されている。例えば目的地１０１が「フリーマーケット」（図２中１行目）で
ある場合には検索用ワード２０１ａには「フリー」、「マーケット」「ＭＡＲＫＥＴ」等
が登録される。
【００３２】
またイベント名２０１に対してイベントの開催の開始日２０２ａと終了日２０２ｂが登
録されている。
【００３３】
またイベント名２０１に対して開催地２０３が登録されている。この開催地２０３は、
イベント名２０１に登録されたイベントの開催地が登録される。たとえばイベント名２０
１が「フリーマーケット」（図２ａ中１行目）である場合には開催地２０３には例えば「
芝公園」が登録される。
【００３４】
開催地２０３に対し１乃至数駅までの該当駅２０４が登録されている。この該当駅にあ
たるのはその開催地２０３から最寄りの駅の他、使用者がいる駅から乗り換え不要又は乗
り換えが少なくて行くことが可能である駅、電車から目的地まで行くバスへの乗り継ぎが
良く利便性のある駅、乗車所要時間と徒歩の時間合計して一番近い駅、目的地まで段差等
少ない経路で向かう事ができる駅、人の利用が多く明るい道を通って目的地まで向かうこ
とができる駅等が登録されている。
【００３５】
また該当駅２０４に対し、開催地２０３まで徒歩でかかる時間が記載された徒歩時間２
０５が登録されている。この徒歩時間２０５は大人の平均の歩幅歩いた場合の所要時間２
１１が登録されている。また券売機１のある駅（使用者が開催地２０３までの券を実際に
買おうとしている駅）から該当駅２０４までの合計運賃２０６が該当駅に対応して登録さ
れている。
【００３６】
該当駅２０４に向かうまでの自社の路線に乗り換えが必要な場合には自社乗換駅２０７
が登録され、他社の路線に乗り換えが必要な場合には他社乗換駅２０９が登録されている
。
【００３７】
また自社路線を利用して移動した駅までの運賃である自社運賃２０８及び他社路線を利用
する場合にはその他社路線利用区間の他社運賃２１０が登録されている。この自社運賃２
０８と他社運賃２１０の合計が合計運賃２０６となる。
【００３８】
また券売機１のある駅（使用者が目的地２０１までの券を実際に買おうとしている駅）
から該当駅２０４までの徒歩時間２０５まで含めた所要時間２１１が登録されている。
【００３９】
該当駅２０４及び乗換がある場合には自社乗換駅２０７、他社乗換駅２０９がバリアフ
リー設備を設けている場合にはバリアフリー２１２の項目に「○」が登録されている。
【００４０】
該当駅２０４に対応して該当駅２０４から開催地２０３までの地図付購入券２１３が登
録されている。なおバリアフリー対応の駅の場合には階段などの段差が少ない経路の地図
付購入券が登録されている。
【００４１】
例えばイベント名２０１が「フリーマーケット」（図２ａ中１行目）の場合には、開催
地２０３は「芝公園」であり、開催地２０３に最寄りの該当駅が４つあり、最安値で「芝
公園」まで行くことが出来るＡ駅、エレベータ等があり階段の利用が不要な駅のみを利用
して行く事が出来るＢ駅、途中ｃ駅で乗り換えることにより最短時間で行く事が可能な他
社Ｃ駅、他の経路に比べ運賃は高いが徒歩時間が短い時間で目的地につくことが可能なＤ
駅が登録されている。
【００４２】
図５は入力待ち画面３００を示すものである。
【００４３】
入力待ち画面３００の右側の常設パネル３０１には券を購入するためのパネルが常時設
けられており、運賃選択パネル４００、目的地検索パネル５００、イベント検索パネル６
００、操作者が購入動作を進めていく際に、前の画面に戻っての操作を希望する場合に画
面を戻す前画面表示パネル３０３、及び操作者が最初から操作を行いなおしたい場合には
入力待ち画面に戻る入力待ち画面表示パネル３０４が設けられている。
【００４４】
入力待ち画面３００の左側の表示部３０２にはイベントの広告の動画又は静止画を表示
して入力を待つ。使用者が常設パネル３０１よりパネルを選択することにより、表示部３
０２はそれに対応して次の手順に進むための各パネルに対応した表示に切り替わる。
【００４５】
なお、押したパネルの種類により今後の表示画面は異なる。
【００４６】
初めに運賃より券を購入する際の券売機１の動作フロー及びその際のタッチパネル２の
表示画面について説明する。
【００４７】
図６は入力待ち画面３００から運賃選択パネル４００を押下して券を購入する際のフロ
ーチャートである。
【００４８】
初めに常設パネル３０１より運賃選択パネル４００を押下する（Ｓ１１）。
【００４９】
すると表示部３０２に図７に示すような複数の金額選択パネル４０１が表示された金額
選択画面４０２が表示される（Ｓ１２）。
【００５０】
購入したい券の金額に該当する金額選択パネル４０１を押下する（Ｓ１３）。
【００５１】
券売機１から券が排出され、表示部３０２には図８に示すような券排出通知画面７００
が表示される（Ｓ１４）。
【００５２】
次に目的地より券を購入する際の券売機１の目的地選択画面５６０表示までの動作フロ
ー及びその際のタッチパネル２の表示画面について説明する。
【００５３】
図９は入力待ち画面３００から目的地選択画面５６０表示までの券売機１の動作のフロ
ーチャートである。
【００５４】
まず初めに入力待ち画面３００より目的地検索パネル５００を押下する（Ｓ２１）。
【００５５】
目的地検索パネルを５００押下することによりに図１０に示すかな文字表記入力画面５
０１は表示される（Ｓ２２）。
【００５６】
かな文字表記入力画面５０１はかな文字入力用パネル５０２と入力文字訂正パネル５０
３と入力済文字表示画面５０４とアルファベット表記切り替えパネル５０５で構成されて
いる。
【００５７】
かな文字入力用パネル５０２はカタカナを「ア」から「ン」及び濁点等も含めて１文字
ずつ示したタッチパネルであり、それらはカタカナの５０音の並びに従い配列されている
。このかな文字入力用パネル５０２で入力した文字は入力済文字表示画面５０４に表示さ
れる。
【００５８】
使用者は入力済文字表示画面５０４を見て自らが入力した文字を確認することができ、
入力した文字が間違っていた場合には入力文字訂正パネル５０３を押下することで入力が
遅い順に一文字ずつ消去できる。また一文字入力すると、その後に押下される可能性があ
る文字のパネルのみが押下可能となる。
【００５９】
また「ＮＨＫ（Ｒ）」のようなアルファベットで表記される目的地や外国から観光に訪
れている使用者等はアルファベットで表記された入力用タッチパネルを使うことが出来る
。
【００６０】
カタカナの配列からアルファベット配列に変更するにはかな文字入力用パネル５０２右
上に設けられたアルファベット表記切り替えパネル５０５を押下すること（Ｓ２３,Ｙｅ
ｓ）により図１１に示すアルファベット表記入力画面５５１を表示すること（Ｓ２４）で
きる。
【００６１】
アルファベット表記入力画面５５１はアルファベット入力用パネル５５２とアルファベ
ット入力文字訂正パネル５５３とアルファベット入力済文字表示画面５５４とかな文字表
記切り替えパネル５５５で構成されている。
【００６２】
アルファベット入力用パネル５５２はアルファベットを「Ａ」から「Ｚ」及び濁点等も
含めて一文字ずつ示したタッチパネルであり、それらは辞書等で用いられるアルファベッ
ト表記の順序に従い配列されている。このアルファベット入力用パネル５５２で入力した
文字はアルファベット入力済文字表示画面５５４に表示される。使用者はアルファベット
入力済文字表示画面５５４を見て自ら入力した文字を確認することができ、入力した文字
が間違っていた場合にはアルファベット入力文字訂正パネル５５３を押下することで入力
が遅い順に一文字ずつ消去できる。また一文字入力すると、その後に押下される可能性が
ある文字のパネルのみが押下可能となる。
【００６３】
以下券の購買動作では全てかな文字入力用パネル５０２を用いて入力する場合（Ｓ２３
、Ｎｏ）に統一して説明する。
【００６４】
かな文字表記入力画面５０１が表示されると券売機１はかな文字入力による目的地の入
力待ち状態となる。この状態で利用者は目的地を頭文字から、かな文字入力用パネル５０
２を押下すると（Ｓ２５）、制御部８はデータベース検索部１３にて、メモリ１４に記録
された目的地目的地別データベース１００に登録された目的地１０１及び検索ワード１０
２の中に、入力された文字列を含む目的地候補があるかを検索する（Ｓ２６）。
【００６５】
次に、制御部８はデータベース検索部１３にて検索された目的地候補を画面に表示可能で
あるか否かを判定する（Ｓ２７）。
【００６６】
指定された文字では目的地候補の数が多すぎるため、目的地候補を画面に表示すること
が不可能である（Ｓ２７、Ｎｏ）場合には図１２に示すように入力した文字により次の文
字として入力の可能性がある文字のかな文字入力用パネル５０２のみを有効にする（Ｓ２
８）。またこの状態において、かな文字表記入力画面５０１に設けられた、リスト表示パ
ネル５５６が押下可能となる。リスト表示パネル５５６は、押下することで目的地候補が
該当多数あっても途中まで入力した文字から限定される目的地のみを表示させるパネルで
ある。
【００６７】
リスト表示パネル５５６が押下されない場合（Ｓ２９、Ｎｏ）には、次のかな文字入力
用パネル５０２の押下を待つ待機状態となる。
【００６８】
このリスト表示パネル５５６を押下した場合（Ｓ２９、Ｙｅｓ）若しくは入力された文
字より限定される目的地候補が一定数以下となった場合（Ｓ２７、Ｙｅｓ）には、図１３
に示すように目的地選択画面５６０が表示される（Ｓ３０）。
【００６９】
以上の流れにより、目的地選択画面５６０が表示される。
【００７０】
目的地選択画面５６０は１つ又は複数の目的地別パネル５６１で構成される。
【００７１】
目的地別パネル５６１は観光地等の目的地を１つずつ示したタッチパネルで、かな文字
表記入力画面５０１またはアルファベット表記入力画面５５１で入力された文字を用いて
目的地別データベース１００の検索用キーワードに登録された目的地１０１と同一の文字
を表示させる。
【００７２】
次に目的地選択画面５６０からその目的地に向かうまでのルートを決定する際の券売機
１の動作のフローチャートを説明する。
【００７３】
図１４は目的地選択画面５６０からその目的地に向かうまでのルートを決定する際の券
売機１の動作を示したフローチャートである。
【００７４】
目的地選択画面５６０より購入を希望する目的地別パネル５６１を押下する（Ｓ３１）
。すると図１５のようにルート選択画面５７０が表示される（Ｓ３２）。
【００７５】
図１５はルート選択画面５７０を示す。このルート選択画面５７０は目的地選択画面５
６０若しくはイベント選択画面６６０から一つの目的地若しくはイベントを選択した際に
表示される画面である。
【００７６】
この画面には少なくとも一つ以上のルート選択パネル５７１が表示される。このルート
選択パネル５７１には前に選択した目的地（実施例では東京○○ー）に対してデータベー
スに登録されたルートが表示される。このルート選択パネル５７１には、目的地別データ
ベース１００より該当する目的地に登録された該当駅１０３ごとの徒歩時間１０４、合計
運賃１０５、自社乗換駅１０６他社乗換駅１０８及び所要時間１０９、バリアフリー設備
の有無等が表示される。
【００７７】
また優先順位決定パネル５７２も表示される。優先順位決定パネル５７２は、運賃順パ
ネル５７３、徒歩時間順パネル５７４、所要時間順パネル５７５、バリアフリー順パネル
５７６から構成される。
【００７８】
運賃順パネル５７３が押下される（Ｓ３３、Ｙｅｓ）と、図１５のように複数あるルー
ト選択パネル５７１が左から右へ運賃が安い順に並びかえられる（Ｓ３４）。
【００７９】
徒歩時間順パネル５７４が押下される（Ｓ３３、Ｙｅｓ）と、図１５のように複数ある
ルート選択パネル５７１が左から右へ徒歩時間が短い順に並び替えられる（Ｓ３４）。
【００８０】
所要時間順パネル５７５が押下される（Ｓ３３、Ｙｅｓ）と、図１５のように複数ある
ルート選択パネル５７１が左から右へ所要時間が短い順に並び替えられる（Ｓ３４）。
【００８１】
バリアフリー順パネル５７６が押下される（Ｓ３３、Ｙｅｓ）と、図１５のように複数
あるルート選択パネル５７１からバリアフリー施設が充実しているルートのみ表示される
（Ｓ３４）。
【００８２】
ルート選択パネル５７１が押下される（Ｓ３５）と、図１６に示すような最終ルート表
示画面５８０が表示される（Ｓ３６）。
【００８３】
以上の流れにより、目的地に向かうまでのルートを決定する。
【００８４】
この最終ルート表示画面５８０はルート選択画面５７０に表示されたルート選択パネル
５７１の１つを選択した際に表示される画面である。
【００８５】
この最終ルート表示画面５８０には目的地側駅の駅名、券購入駅から目的地側駅までの
運賃及び時間、目的地側駅から目的地までの徒歩時間等が表示される。
【００８６】
また、この最終ルート表示画面には地図付購入券購入選択パネル５８１及び地図付購入
券無し券購入選択パネル５８２が表示されている。券購入者はこの最終ルートに関する情
報を印字した券か、情報未記載の地図付購入券無し購入券（エドモンソン券）か、どちら
の発行を希望するかを選択できる。
【００８７】
以下、発行を希望する券の選択および発行までの流れを説明する。
【００８８】
図１７は発行を希望する券の選択および発行までの券売機１の動作を示したフローチャ
ートである。
【００８９】
券購入者は地図付購入券の購入を希望する場合には地図付購入券入選択パネル５８１を
、地図付購入券無し購入券を希望する場合には地図付購入券無し券購入選択パネル５８２
を選択する（Ｓ３７）。
【００９０】
地図付購入券購入選択パネル５８１を押下する（Ｓ３７、Ｙｅｓ）と、後に説明する所
定の情報が表示された地図付購入券５９０を発券され、券排出通知画面７００が表示され
る（Ｓ３８ａ）。
【００９１】
地図付購入券無し券購入選択パネル５８２を押下する（Ｓ３７、Ｎｏ）と、通常切符と
して使用されるエドモンソン券が発券され、券排出通知画面７００が表示される（Ｓ３８
ｂ）。
【００９２】
図１８は地図付購入券購入選択パネル５８１を押下すると発行される券購入駅から目的
地側駅までの乗換案内及び目的地側駅から目的地までの徒歩ルートが表示された地図付購
入券５９０を示した図である。この券に印刷される地図付購入券５９１は目的地別データ
ベース１００内の地図付購入券１１２より引き出される。
【００９３】
次にイベントより券を購入するフロー及びその際のタッチパネル２の表示画面について
説明する。
【００９４】
図１９は入力待ち画面３００からイベント選択画面６６０表示までの券売機１の動作の
フローチャートである。
【００９５】
まず初めに入力待ち画面３００よりイベント検索パネル６００を押下する（Ｓ４１）。
【００９６】
イベント検索パネルを６００押下することによりに図１０に示すかな文字表記入力画面
５０１は表示される（Ｓ４２）。
【００９７】
かな文字表記イベント入力画面５０１は必要に応じてアルファベット表記切り替えパネ
ル５０５を押下すること（Ｓ４３,Ｙｅｓ）により図１１に示すアルファベット表記入力
画面５５１を表示すること（Ｓ４４）できる。
【００９８】
以下はかな文字表記入力画面５０１で入力する場合（Ｓ４３、Ｎｏ）を説明する。
【００９９】
かな文字表記入力画面５０１が表示されると券売機１はかな文字入力によるイベントの
入力待ち状態となる。この状態で利用者はイベントを頭文字からかな文字入力用パネル５
０２を押下すると（Ｓ４５）、制御部８はデータベース検索部１３にて、メモリ１４に記
録されたイベント別データベース２００に登録されたイベント２０１及び検索ワード２０
１ａに、入力された文字列を含む目的地候補があるかを検索する（Ｓ４６）。
【０１００】
次に、制御部８はデータベース検索部１３にて検索された目的地候補を画面に表示可能で
あるか否かを判定する（Ｓ４７）。
【０１０１】
指定された文字ではイベント候補の数が多すぎるため、イベント候補を画面に表示する
ことが不可能である（Ｓ４７、Ｎｏ）場合には図１２に示すように入力した文字により次
の文字として入力の可能性がある文字のかな文字入力用パネル５０２のみを有効にする（
Ｓ４８）。またこの状態において、かな文字表記入力画面５０１に設けられた、リスト表
示パネル５５６が押下可能となる。リスト表示パネル５５６は、押下することでイベント
候補が該当多数あっても途中まで入力した文字から限定されるイベントのみを表示させる
パネルである。
【０１０２】
リスト表示パネル５５６が押下されない場合（Ｓ４９、Ｎｏ）には、次のかな文字入力
用パネル５０２を待つ待機状態となる。
【０１０３】
このリスト表示パネル５５６を押下した場合（Ｓ４９、Ｙｅｓ）若しくは入力された文
字より限定されるイベント候補が一定数以下となった場合（Ｓ４７、Ｙｅｓ）には、図２
０に示すようにイベント選択画面６６０が表示される（Ｓ５０）。
【０１０４】
以上の流れにより、イベント選択画面６６０が表示される。
【０１０５】
イベント選択画面６６０は１つ又は複数のイベント別パネル６６１で構成される。
【０１０６】
イベント別パネル６６１は観光地等の目的地を１つずつ示したタッチパネルで、かな文
字表記入力画面５０１またはアルファベット表記入力画面５５１で入力された文字を用い
てイベント別データベース２００の検索用キーワードに登録されたイベント２０１と同一
の文字を表示させる。
【０１０７】
また券売機１はその日が開始日２０２ａ以降であり終了日２０２ｂ以前の日である場合
のみ、そのイベントに関する券を販売する。よって券の販売日が開始日２０２ａ以降であ
り終了日２０２ｂ以前の日のイベントがイベント別パネル６６１となって表示される。
【０１０８】
次にイベント選択画面６６０からそのイベントに向かうまでのルートを決定する際の券
売機１の動作のフローチャートを説明する。
【０１０９】
図２１は目的地選択画面５６０からその目的地に向かうまでのルートを決定する際の券
売機１の動作を示したフローチャートである。
【０１１０】
イベント選択画面６６０より購入を希望するイベント別パネル６６１を押下する（Ｓ５
１）。すると図２２のようにルート選択画面６７０が表示される（Ｓ５２）。
【０１１１】
このルート選択画面６７０はイベント選択画面６６０から一つのイベントを選択した際
に表示される画面である。
【０１１２】
この画面には少なくとも一つ以上のルート選択パネル６７１が表示される。このルート
選択パネル６７１には前に選択したイベント（実施例ではフリーマーケット）に対してイ
ベント別データベース２００に登録されたルートが表示される。このルート選択パネル６
７１には、イベント別データベース２００より該当するイベントに登録された目的地２０
３、及びその目的地２０３に辿り着くための１乃至複数の該当駅２０４、該当駅２０４ご
との徒歩時間２０５、合計運賃２０６、自社乗換駅２０７他社乗換駅２０９及び所要時間
２１１、バリアフリー設備の有無等が表示される。
【０１１３】
また優先順位決定パネル５７２も表示される。優先順位決定パネル５７２は、運賃順パ
ネル５７３、徒歩時間順パネル５７４、所要時間順パネル５７５、バリアフリー順パネル
５７６から構成される。
【０１１４】
優先順位パネルの機能は目的地別検索の時と同様に、パネルが押下される（Ｓ５３）と
、選択されたパネルにしたがってルート選択パネル６７１の順列を並びかえる（Ｓ５４）
。
【０１１５】
ルート選択パネル６７１が押下される（Ｓ５５）と、図２３に示すような最終ルート表
示画面６８０が表示される（Ｓ５６）。
【０１１６】
この最終ルート表示画面６８０はルート選択画面６７０に表示されたルート選択パネル
６７１の１つを選択した際に表示される画面である。
【０１１７】
この最終ルート表示画面６８０にはイベント側駅の駅名、券購入駅からイベント側駅ま
での運賃及び時間、イベント側駅からイベントまでの徒歩時間が表示される。
【０１１８】
またこの最終ルート表示画面には地図付購入券購入選択パネル６８１及び地図付購入券
無し券購入選択パネル６８２が表示されている。券購入者はこの最終ルートに関する情報
を印字した券か、情報未記載の地図付購入券無し購入券（エドモンソン券）か、どちらの
発行を希望するかを選択できる。
【０１１９】
以下、発行を希望する券の選択および発行までの流れを説明する。
【０１２０】
図２４は発行を希望する券の選択および発行までの券売機１の動作を示したフローチャ
ートである。
【０１２１】
券購入者は地図付購入券の購入を希望する場合には地図付購入券入選択パネル６８１を
、地図付購入券無し購入券を希望する場合には地図付購入券無し券購入選択パネル６８２
を選択する（Ｓ５７）
地図付購入券購入選択パネル６８１を押下する（Ｓ５７、Ｙｅｓ）と、後に説明する所
定の情報が表示された地図付購入券を発券され、券排出通知画面７００が表示される（Ｓ
５８ａ）。
【０１２２】
地図付購入券無し券購入選択パネル６８２を押下する（Ｓ５７、Ｎｏ）と、通常切符と
して使用されるエドモンソン券が発券され、券排出通知画面７００が表示される（Ｓ５８
ｂ）。
【０１２３】
図２５は地図付購入券購入選択パネル６８１を押下すると発行される券購入駅からイベ
ント側駅までの乗換案内及びイベント側駅からイベントまでの徒歩ルートが表示された地
図付購入券６９０を示した図である。この券に印刷される地図付購入券６９１はイベント
別データベース２００内の地図付購入券２１３より引き出される。
【０１２４】
目的地選択画面５６０やイベント選択画面６６０で表示しなければならないパネルが多
い場合には、画面を切りかえて残りのパネルを表示させる為のタッチパネルを設けても良
い。
【０１２５】
全ての画面において一定時間経過した場合には入力待ち画面に戻しても良い。
【０１２６】
検索用ワードは、二つのみならず、複数登録される等の応用も可能である。
【０１２７】
徒歩時間１０４は目的地まで段差等少ない経路で向かうことが出来る駅等では車椅子利
用者の平均スピードでも示す、子供の平均スピードでも示す等のデータベースを増やして
も良い。
【０１２８】
必要に応じて画面説明を英語表記に変更させても良い。
【０１２９】
また目的地別データベース１００及びイベント別データベース２００には英語表記の地
図付購入券を付して画面説明を英語にした場合には英語表記の地図付購入券を引き出すよ
う設定しても良い。
【０１３０】
以上のように、券の購入者は事前に目的地及びイベントが何処で開催され、またどのよ
うに行くのが購入者にとって都合が良いルートかを事前調査せずとも、券売機が複数ルー
トを示すので、購入者によって便が良い。
【０１３１】
また、外国からの観光客にとっても、不慣れな地で、行きたい目的地、イベントを入力
することにより自らにとって便の良いルートを選ぶことが出来る。
【図面の簡単な説明】
【０１３２】
【図１】本発明の発券処理部の実施の形態にかかわる券売機１の全体構成を示す斜視図。
【図２】本発明による発券処理部の実施の形態にかかわる券売機１の内部構成を示すブロック図。
【図３】本発明による目的地別データベース１００を示した図。
【図４】本発明によるイベント別データベース２００を示した図。
【図５】本発明の入力待ち画面３００を示す図。
【図６】本発明による入力待ち画面３００から運賃選択パネル４００を押下して券を購入する際のフローチャート。
【図７】本発明による複数の金額選択パネル４０１が表示された金額選択画面４０２を示す図。
【図８】本発明による券排出通知画面７００を示す図。
【図９】本発明の入力待ち画面３００から目的地選択画面５６０表示までの券売機１の動作のフローチャート。
【図１０】本発明によるかな文字表記入力画面５０１を示す図。
【図１１】本発明によるアルファベット表記入力画面５５１を示す図。
【図１２】本発明による入力した文字により次の文字として入力の可能性がある文字のかな文字入力用パネル５０２のみを有効にした画面を示した図。
【図１３】本発明の目的地選択画面５６０を示す図。
【図１４】本発明による目的地選択画面５６０からその目的地に向かうまでのルートを決定する際の券売機１の動作を示したフローチャート。
【図１５】本発明によるルート選択画面５７０を示す図。
【図１６】本発明による最終ルート表示画面５８０を示す図。
【図１７】本発明による発行を希望する券の選択および発行までの券売機１の動作を示したフローチャート
【図１８】本発明による地図付購入券５９０を示した図。
【図１９】本発明の入力待ち画面３００からイベント選択画面６６０表示までの券売機１の動作のフローチャート。
【図２０】本発明のイベント選択画面６６０を示す図。
【図２１】本発明による目的地選択画面５６０からその目的地に向かうまでのルートを決定する際の券売機１の動作を示したフローチャート
【図２２】本発明によるルート選択画面６７０を示す図。
【図２３】本発明による最終ルート表示画面６８０を示す図。
【図２４】本発明による発行を希望する券の選択および発行までの券売機１の動作を示したフローチャート。
【図２５】本発明による地図付購入券６９０を示した図。
【符号の説明】
【０１３３】
１  券売機
１００  データベース
２００  ハードディスク
５６０  目的地選択画面
６６０  イベント選択画面
５７０、６７０  ルート選択画面
５９０、６９０  地図付購入券
【図１】
2010086346.tif 000003
【図２】
2010086346.tif 000004
【図３】
2010086346.tif 000005
【図４】
2010086346.tif 000006
【図５】
2010086346.tif 000007
【図６】
2010086346.tif 000008
【図７】
2010086346.tif 000009
【図８】
2010086346.tif 000010
【図９】
2010086346.tif 000011
【図１０】
2010086346.tif 000012
【図１１】
2010086346.tif 000013
【図１２】
2010086346.tif 000014
【図１３】
2010086346.tif 000015
【図１４】
2010086346.tif 000016
【図１５】
2010086346.tif 000017
【図１６】
2010086346.tif 000018
【図１７】
2010086346.tif 000019
【図１８】
2010086346.tif 000020
【図１９】
2010086346.tif 000021
【図２０】
2010086346.tif 000022
【図２１】
2010086346.tif 000023
【図２２】
2010086346.tif 000024
【図２３】
2010086346.tif 000025
【図２４】
2010086346.tif 000026
【図２５】
2010086346.tif 000027